(57)【要約】【課題】ラインロープも含めて間接活線で電線に取り付け可能な鳥害防止具を提供する。【解決手段】本発明の鳥害防止具１は、電線Ｗに装着可能な第１ライン支持具１０Ａ及び第２ライン支持具１０Ｂと、前記第１ライン支持具１０Ａと前記第２ライン支持具１０Ｂとを連結自在な連結部材２と、前記第１ライン支持具１０Ａと前記第２ライン支持具１０Ｂとの間に伸縮自在に架け渡されたラインロープ３と、を備え、ラインロープも含めて間接活線で電線に取り付け可能である。【選択図】図１
2020195207.tif 000002
【特許請求の範囲】
【請求項１】
電線に装着可能な第１ライン支持具及び第２ライン支持具と、
前記第１ライン支持具と前記第２ライン支持具とを連結自在な連結部材と、
前記第１ライン支持具と前記第２ライン支持具との間に伸縮自在に架け渡されたラインロープと、
を備える鳥害防止具。
【請求項２】
前記連結部材は、
前記第１ライン支持具から延びる連結棒であり、
前記第２ライン支持具には、前記連結棒が挿入可能な挿入孔が設けられている、
請求項１に記載の鳥害防止具。
【請求項３】
前記第１ライン支持具及び前記第２ライン支持具は、それぞれ上方に延びる棒状のライン保持部を備え、
前記ラインロープは、前記第１ライン支持具の前記ライン保持部と、前記第２ライン支持具の前記ライン保持部との間にコイル形状に架け渡されている、
請求項１または２に記載の鳥害防止具。
【請求項４】
前記第１ライン支持具及び前記第２ライン支持具は、それぞれ、
電線の一側と当接する第１把持部と、
電線の他側と当接する第２把持部と、
前記第２把持部を前記第１把持部に対して進退させる操作部と、
を備える請求項１から３のいずれか１項に記載の鳥害防止具。
【請求項５】
前記操作部には、遠隔操作棒の先端部が取り付け可能で、
前記遠隔操作棒の先端部を前記操作部に取り付けることにより前記遠隔操作棒により前記操作部が操作可能となる、
請求項４に記載の鳥害防止具。
【発明の詳細な説明】
【技術分野】
【０００１】
本発明は、電線に沿って取り付けることにより鳥の飛来を防止する鳥害防止具に関する。
【背景技術】
【０００２】
従来、電線には、鳥の飛来を防止する鳥害防止具が取り付けられている。このような鳥害防止具は、電線に複数取り付けられ、複数の鳥害防止具に渡ってラインロープが架け渡されている（特許文献１参照）。
【先行技術文献】
【特許文献】
【０００３】
【特許文献１】特開２００９−３９０５５号公報
【発明の概要】
【発明が解決しようとする課題】
【０００４】
ここで、鳥害防止具としては間接活線作業で取り付けることが可能なものがある。しかし、鳥害防止具のみ間接活線作業で取り付けることができても、ラインロープを取り付けるために停電作業が必要になる。
また、ラインロープを持った状態で、電線を伝って移動しながら複数の鳥害防止具にわたってラインロープを架け渡す作業が必要であり、時間と手間がかかる。そして、一旦停車した高所作業車で作業可能な範囲を超えた場合、ラインロープを仮固定し、高所作業車を異動させ、その後、再度、鳥害防止具へのラインロープの取付作業を再開しなければならない。
また、ラインロープを手に持って作業するため、ラインロープの取り付けの際に、誤って手を滑らせてラインロープが落下する可能性がある。ラインロープが落下すると、ラインロープが電線から地上に垂れ下がって絡まる可能性がある。さらに、絡まったラインロープがほどけないと、切断する必要があり、無駄にラインロープを消費してしまう。また、鳥害防止具へのラインロープの固定が不十分で、ラインロープが緩んで外れてしまう可能性もある。
【０００５】
本発明は、ラインロープも含めて間接活線で取り付け可能な鳥害防止具を提供することを目的とする。
【課題を解決するための手段】
【０００６】
本発明は、電線に装着可能な第１ライン支持具及び第２ライン支持具と、前記第１ライン支持具と前記第２ライン支持具とを連結自在な連結部材と、前記第１ライン支持具と前記第２ライン支持具との間に伸縮自在に架け渡されたラインロープと、を備える鳥害防止具を提供する。
【０００７】
前記連結部材は、前記第１ライン支持具から延びる連結棒であり、前記第２ライン支持具には、前記連結棒が挿入可能な挿入孔が設けられていることが好ましい。
【０００８】
前記第１ライン支持具及び前記第２ライン支持具は、それぞれ上方に延びる棒状のライン保持部を備え、前記ラインロープは、前記第１ライン支持具の前記ライン保持部と、前記第２ライン支持具の前記ライン保持部との間にコイル形状に架け渡されていることが好ましい。
【０００９】
前記第１ライン支持具及び前記第２ライン支持具は、それぞれ、電線の一側と当接する第１把持部と、電線の他側と当接する第２把持部と、前記第２把持部を前記第１把持部に対して進退させる操作部と、を備えることが好ましい。
【００１０】
前記操作部には、遠隔操作棒の先端部が取り付け可能で、前記遠隔操作棒の先端部を前記操作部に取り付けることにより前記遠隔操作棒により前記操作部が操作可能となることが好ましい。
【発明の効果】
【００１１】
本発明によれば、ラインロープも含めて間接活線で取り付け可能な鳥害防止具を提供することができる。
【図面の簡単な説明】
【００１２】
【図１】鳥害防止具１の斜視図である。
【図２】鳥害防止具１の電線Ｗへの取り付け方法を説明する図である。
【発明を実施するための形態】
【００１３】
以下、本発明の一実施形態による鳥害防止具１について図面を参照しながら説明する。図１は鳥害防止具１の斜視図である。図２は鳥害防止具１の電線Ｗへの取り付け方法を説明する図である。
鳥害防止具１は、第１ライン支持具１０Ａ及び第２ライン支持具１０Ｂと、第１ライン支持具１０Ａから第２ライン支持具１０Ｂへ延びる連結部材２と、第１ライン支持具１０Ａと第２ライン支持具１０Ｂとの間に伸縮自在に架け渡されたラインロープ３とを備える。
【００１４】
（第１ライン支持具１０Ａ及び第２ライン支持具１０Ｂ）
次に、第１ライン支持具１０Ａ及び第２ライン支持具１０Ｂについて説明するが、第１ライン支持具１０Ａと第２ライン支持具１０Ｂとは、略同様であるので、同様の部分については第１ライン支持具１０Ａについてのみ説明し、第２ライン支持具１０Ｂの説明は省略する。
第１ライン支持具１０Ａは、電線懸架部１１と、上下動部１２と、電線懸架部１１から上方に延びるライン保持部１３とを備える。
【００１５】
（電線懸架部１１）
電線懸架部１１は、電線Ｗに載置される上把持部（第１把持部）１１ａと、上把持部１１ａの一端から下側に延びる延在壁１１ｂと、延在壁１１ｂの下端から延在壁１１ｂに対して略垂直且つ上把持部１１ａと同方向に延びるねじ保持部１１ｃと、を備える。
【００１６】
（上把持部１１ａ）
上把持部１１ａの他端側は、延在壁１１ｂと略平行に下側に延びている。だたし、下側に延びる部分１１ｆは、延在壁１１ｂよりも短く、少なくとも、ねじ保持部１１ｃとの間には電線Ｗが挿通可能な隙間Ｓが設けられている。
上把持部１１ａの下面は延在壁１１ｂと直交する水平方向に延びる面で、延在壁１１ｂと平行に延びる上凹溝１１ｅが形成されている。
【００１７】
（連結部材２）
上把持部１１ａにおける、第２ライン支持具１０Ｂ側の側面からは、連結部材２が第２ライン支持具１０Ｂ側に向かって延びている。連結部材２は、実施形態では断面円形の棒部材であるが、これに限定されない。
【００１８】
一方、第２ライン支持具１０Ｂの上把持部１１ａにおける、第１ライン支持具１０Ａ側の側面には、連結部材２が挿入される挿入孔２ａが設けられている。実施形態で挿入孔２ａは貫通孔であるが、これに限定されず、有底孔であってもよい。
【００１９】
第２ライン支持具１０Ｂの挿入孔２ａに第１ライン支持具１０Ａから延びる連結部材２が挿入されることで、第１ライン支持具１０Ａと第２ライン支持具１０Ｂとが連結される。
第１ライン支持具１０Ａと第２ライン支持具１０Ｂとが連結された状態から、第１ライン支持具１０Ａと第２ライン支持具１０Ｂとの間の距離を離すと、第２ライン支持具１０Ｂの挿入孔２ａから第１ライン支持具１０Ａから延びる連結部材２が外れて、第１ライン支持具１０Ａと第２ライン支持具１０Ｂとの連結が解除される。
【００２０】
（ねじ保持部１１ｃ）
ねじ保持部１１ｃは、上把持部１１ａの下面と平行に延びる板状部である。ねじ保持部１１ｃの中央部に延在壁１１ｂと平行な上下方向に貫通し且つ内面にねじ溝が設けられたねじ孔１１ｄが設けられている。
【００２１】
（ライン保持部１３）
ライン保持部１３は、上把持部１１ａの上面から上方に突出している棒状部材である。ライン保持部１３の側面には、ラインロープ３の一端を取り付けるための取付部１３ａが設けられている。取付部１３ａは、実施形態ではＬ字状部材であるが、ラインロープ３が取り付け可能で、且つラインロープ３がライン保持部１３上を滑り落ちなければ、他の形状であってもよい。
【００２２】
（上下動部１２）
上下動部１２は、ねじ保持部１１ｃのねじ孔１１ｄに螺合するねじ部１２ａと、ねじ部１２ａの上端に取り付けられている下把持部１２ｂと、ねじ部１２ａの下端に取り付けられている操作部１２ｃとを備える。
【００２３】
（ねじ部１２ａ）
ねじ部１２ａの側面にはねじ山が設けられている。ねじ部１２ａは、ねじ孔１１ｄを貫通してねじ保持部１１ｃのねじ孔１１ｄの内面に設けられたねじ溝と螺合している。ねじ部１２ａは、回転することにより延在壁１１ｂと平行に上下動する。
【００２４】
（操作部１２ｃ）
操作部１２ｃは、ねじ部１２ａの下端に取り付けられた、下面が開口した円筒部材である。操作部１２ｃの周面には、下端縁が開口した一対のＴ形状の係止溝１２ｄが、互いに対向配置されて２つ設けられている。Ｔ字状の係止溝１２ｄは、下端縁から上に延びる垂直溝と、垂直溝の上端から左右に延びる左溝及び右溝とを備え、左溝及び右溝の先端は、やや下方に下がっている。
【００２５】
（遠隔操作棒２０）
一方、遠隔操作棒２０は、絶縁材で形成された公知の遠隔操作棒であり、所定の長さを有する。遠隔操作棒２０の先端の径は、操作部１２ｃ内に挿入可能な径で、外周面に一対の係合ピン２１が設けられている。係合ピン２１を、係止溝１２ｄの下端縁から係止溝１２ｄ内に挿入し、遠隔操作棒２０を回転すると、係合ピン２１が係止溝１２ｄに沿って移動する。係合ピン２１がＴ字状の係止溝１２ｄの左溝及び右溝の先端の下に下がったところに到達すると、遠隔操作棒２０が第１ライン支持具１０Ａに固定される。
【００２６】
（下把持部１２ｂ）
下把持部１２ｂは、ねじ部１２ａの上端に取り付けられている。下把持部１２ｂにおける、上把持部１１ａと対向する上面には、上把持部１１ａの下面と同様に凹溝１１ｇが形成されている。
遠隔操作棒２０によりねじ部１２ａを回転させると、下把持部１２ｂが電線懸架部１１に対して相対的に上昇する。これにより、上把持部１１ａと下把持部１２ｂとで電線Ｗを把持することができる。
【００２７】
（ラインロープ３）
ラインロープ３は、一端が第１ライン支持具１０Ａ側のライン保持部１３の側面に設けられた取付部１３ａに固定され、他端が第２ライン支持具１０Ｂ側のライン保持部１３の側面に設けられた取付部１３ａに固定されている。
ラインロープ３は、コイルばね状に巻かれて伸縮性があり、第１ライン支持具１０Ａと第２ライン支持具１０Ｂとの距離を広げることにより両端が引っ張られると、直線状に近づくように伸び、第１ライン支持具１０Ａと第２ライン支持具１０Ｂとの間を近づけると、コイル状に巻かれた状態に戻る。
ラインロープ３は、実施形態では絶縁性の細線であるが、これに限らず、絶縁材料で被覆された金属線であってもよい。
【００２８】
（使用方法）
次に、鳥害防止具１の使用方法について図２を用いて説明する。鳥害防止具１は、電線Ｗが活線のままラインロープ３も含めて装着可能である。
作業者は、例えば高所作業車（図示せず）に乗り込み、電線Ｗの取付個所の所定位置に移動する。
そして、第２ライン支持具１０Ｂの挿入孔２ａに第１ライン支持具１０Ａから延びる連結部材２を挿入し、第１ライン支持具１０Ａと第２ライン支持具１０Ｂとが連結する。
鳥害防止具１における第１ライン支持具１０Ａの円筒形状の操作部１２ｃの下端より遠隔操作棒２０を挿入する。このとき、係合ピン２１を、係止溝１２ｄの下端縁から係止溝１２ｄ内に挿入する。そして、遠隔操作棒２０を回転すると、係合ピン２１が係止溝１２ｄに沿って移動する。係合ピン２１がＴ字状の係止溝１２ｄの左溝及び右溝の先端の下に下がったところに到達すると、遠隔操作棒２０が第１ライン支持具１０Ａに固定される。
【００２９】
遠隔操作棒２０により第１ライン支持具１０Ａを持ち上げると、図２（ａ）に示すように２によって第１ライン支持具１０Ａと連結されている第２ライン支持具１０Ｂ及びラインロープ３も持ち上げられる。
【００３０】
図２（ｂ）に示すように、鳥害防止具１をさらに高く持ち上げて、第１ライン支持具１０Ａ及び第２ライン支持具１０Ｂにおける、上把持部１１ａとねじ保持部１１ｃとの間の隙間Ｓより、上把持部１１ａと下把持部１２ｂとの間に電線Ｗを挿入させる。
この状態で、遠隔操作棒２０を回転させ、第１ライン支持具１０Ａのねじ部１２ａを上方に移動させ、第１ライン支持具１０Ａにおいて上把持部１１ａと下把持部１２ｂとにより電線Ｗを挟持する。
【００３１】
次いで、遠隔操作棒２０を、第１ライン支持具１０Ａの操作部１２ｃから取り外し、第２ライン支持具１０Ｂの操作部１２ｃに付け替える。
そして、遠隔操作棒２０を移動させることにより、図２（ｃ）に示すように第２ライン支持具１０Ｂを水平に移動させる。そうするとラインロープ３が延び、例えば最長３ｍ程度の所望位置まで第２ライン支持具１０Ｂを移動させる。
隔操作棒２０を回転させ、第２ライン支持具１０Ｂのねじ部１２ａを上方に移動させ、第２ライン支持具１０Ｂにおいて上把持部１１ａと下把持部１２ｂとにより電線Ｗを挟持する。
なお、ラインロープ３は３ｍまで伸ばす必要はなく、３ｍ以下であってもコイル状で伸縮性があるのでたるむことがない。
【００３２】
以上のように、本実施形態によると、電線Ｗが活線状態であっても、ラインロープ３が架け渡された第１ライン支持具１０Ａ及び第２ライン支持具１０Ｂとを含む鳥害防止具１を電線Ｗに取り付けることができる。
そして、ラインロープ３が電線Ｗから一定の距離、離間して平行に張られることで、鳥が電線Ｗに留まって引き起こされる短絡事故や糞害を防止することができる。
【００３３】
ラインロープ３が取り付けられているので、取り付け時にラインロープが落下して絡まりすることにより、作業に支障が生じることがない。
ラインロープを取り付ける時間が短縮されるので、作業時間が短縮するとともに、作業性が向上する。
【符号の説明】
【００３４】
Ｓ    隙間
Ｗ    電線
１    鳥害防止具
２    連結部材
２ａ    挿入孔
３    ラインロープ
７    ねじ孔
１０Ａ    第１ライン支持具
１０Ｂ    第２ライン支持具
１１    電線懸架部
１１ａ    上把持部
１１ｂ    延在壁
１１ｃ    保持部
１１ｄ    孔
１１ｅ    上凹溝
１１ｆ    部分
１１ｇ    凹溝
１２    上下動部
１２ａ    ねじ部
１２ｂ    下把持部
１２ｃ    操作部
１２ｄ    係止溝
１３    ライン保持部
１３ａ    取付部
２０    遠隔操作棒
２１    係合ピン
【図１】
2020195207.tif 000003
【図２】
2020195207.tif 000004